(57)【特許請求の範囲】
【請求項１】
干渉している信号から清浄された所望の信号を得るための、いくつかの送信側無線局を伴うシステムにおける受信機の有効領域の範囲内で信号を受信する無線受信機における、マルチユーザ干渉除去の方法であって、前記送信側無線局が変調された無線信号を送信するために特定の多元接続方式を用い、
ａ）前記システムにおける少なくとも２つの送信側無線局からの信号の和として無線信号を受信する過程と、
ｂ）受信した前記無線信号を用いられた前記特定の多元接続方式に基づいて処理する過程と、
ｃ）前記無線信号から、前記システムにおける前記送信側無線局のうちの少なくともいくつかからの干渉を、除去する過程と、
ｄ）前記受信機に送られた所望の変調信号を推定する過程とを有し、
前記ｃ）の過程において、前記送信側無線局のうちの少なくともいくつかからの前記干渉している信号は、少なくとも２つの別個の処理動作において１つ又は２つ以上の段で処理され、それぞれの別個の処理動作の結果が前記ｄ）の過程の推定において考慮され、かつ、前記干渉している信号の一部は、利用者信号のグループを構成し、前記別個の処理動作のうちの一つにおいて処理され、その一方で残りの前記干渉している信号は、利用者信号の少なくとも一つの他のグループを構成し、他の前記別個の処理動作において処理され、かつ、前記ｃ）の過程における干渉除去は、少なくとも２つの物理ユニット（ＰＵ１、ＰＵ２、ＰＵＮ）を通じて実行され、一つが利用者信号のそれぞれのグループ用であり、１回又は２回以上の前記物理ユニット（ＰＵ１、ＰＵ２、ＰＵＮ）間での前記送信側無線局からの信号に関する情報の伝送を伴うものとして、前記信号の情報に基づき、全体の受信した信号から、推定される干渉信号のうちの少なくともいくつかが差し引かれるようにする、ことを特徴とする、方法。
【請求項２】
前記除去が一つより多くの段で実行される場合、第１の除去段の除去の結果は、第２の干渉除去段において利用され、その方法が実現可能なさらなる除去段において関連して継続される、ことを特徴とする、請求項１記載の方法。
【請求項３】
前記ｃ）の過程における干渉除去は、それぞれの物理ユニット（ＰＵ１、ＰＵ２、ＰＵＮ）において少なくとも一つの段で利用者信号の２つ又はそれより多くのグループについて別個に実行されて、それぞれの別個の処理動作から推定される干渉信号が獲得され、それの後に、その推定された干渉信号が、それぞれの別個の処理動作において除去される利用者信号の和として全体の前記受信した信号から差し引かれる、ことを特徴とする、請求項１又は２記載の方法。
【請求項４】
それぞれの物理ユニット（ＰＵ１、ＰＵ２、ＰＵＮ）において実行される前記干渉除去において、利用者信号について信号の値が推定され、それらの信号の値が次の除去段において利用されて推定される信号の値をさらに改善し、かつ、前記物理ユニット（ＰＵ１、ＰＵ２、ＰＵＮ）間での情報伝送が、次の除去段において考慮するために他のユニットへ送られる清浄された信号で構成される、ことを特徴とする、請求項１又は２記載の方法。
【請求項５】
それぞれの物理ユニット（ＰＵ１、ＰＵ２、ＰＵＮ）において実行される前記干渉除去において、利用者信号について信号の値が推定され、それらの信号の値が次の除去段において利用されて推定される信号の値をさらに改善し、かつ、前記物理ユニット（ＰＵ１、ＰＵ２、ＰＵＮ）間での情報伝送が、次の除去段において考慮するために他のユニットへ送られる全体の推定された干渉している信号で構成される、ことを特徴とする、請求項１又は２記載の方法。
【請求項６】
前記物理ユニット（ＰＵ１、ＰＵ２、ＰＵＮ）間での情報伝送は、それぞれの物理ユニット（ＰＵ１、ＰＵ２、ＰＵＮ）からの出力信号の形態になっており、前記物理ユニットに割り当てられた利用者に関する情報を含む複合データ・ストリームで構成され、その情報が、それぞれの利用者の受信されたデータの検波された値、関連するチャネルの推定値、時間遅延の推定値及び拡散符号のいずれかを含み、その場合において、その情報が、他の物理ユニットに対し、それらの割り当てられた利用者からの関連する干渉を除去する目的により、他の物理ユニットにおける利用者についての推定される値又は同様の値を生成するために送られる、ことを特徴とする、請求項１又は２記載の方法。
【請求項７】
前記別個の干渉除去の処理動作において実行される前記除去は、シリアル形式の干渉除去方法、パラレル形式の干渉除去方法、及びそれらの混成方法から、選択される、ことを特徴とする、請求項１ないし６のいずれかに記載の方法。
【請求項８】
前記別個の処理動作において実行される前記除去は、一つかつ同じ方法を用いて、又は、異なる方法を用いて、実行される、ことを特徴とする、請求項１ないし７のいずれかに記載の方法。
【請求項９】
用いられる前記多元接続方式がＣＤＭＡであることを特徴とする、請求項１ないし８のいずれかに記載の方法。
【請求項１０】
特定の多元接続方式を用いて変調された無線信号を送るいくつかの送信側無線局を伴うシステムにおいて使用する無線受信機局であって、−前記システムにおける前記送信側無線局のうちの少なくとも２つからの信号の和である無線信号を受信するアンテナ（４）と、
−用いられる多元接続方式に基づいて信号の処理を行う復調器（６）と、
−前記システムにおける前記送信側無線局のうちの少なくともいくつかからの干渉の除去のためのマルチ−ユーザ干渉除去ユニット（７）と、
−干渉の除去の後に推定される元々の変調信号によって送られた情報を再生する復号器（８）とを有し、
前記マルチ−ユーザ干渉除去ユニット（７）は、少なくとも２つの物理ユニット（ＰＵ１、ＰＵ２、ＰＵＮ）を有し、それらの物理ユニットを通じて、干渉している信号が別個の処理動作において１つ又は２つ以上の段で処理され、前記干渉している信号の一部は、利用者信号のグループを構成し、前記別個の処理動作のうちの一つにおいて処理され、その一方で残りの前記干渉している信号は、利用者信号の少なくとも一つの他のグループを構成し、他の前記別個の処理動作において処理され、この場合において、前記物理ユニット（ＰＵ１、ＰＵ２、ＰＵＮ）が、利用者信号のそれぞれのグループに対して一つの物理ユニットを有し、かつ、前記物理ユニット（ＰＵ１、ＰＵ２、ＰＵＮ）間での前記送信側無線局からの信号に関する情報を転送する手段を有しており、前記信号の情報に基づき、全体の受信した信号から、推定される干渉信号のうちの少なくともいくつかが差し引かれる、ことを特徴とする、無線受信機局。
【請求項１１】
前記物理ユニットが電子受信機ボード又はそのようなボードの部分であることを特徴とする、請求項１０記載の無線受信機局。
【請求項１２】
前記無線受信機局がＣＤＭＡ局であることを特徴とする請求項１０又は１１記載の無線受信機局。
【発明の詳細な説明】
【０００１】
（技術分野）
本発明は、いくつかの送信側無線局を収容する無線基地局を有するシステムにおけるマルチユーザ干渉除去のための方法及び装置に関する。本発明は、さらにかかるシステムにおいて使用するための干渉除去ユニットにも関する。
【０００２】
（関連技術の説明）
情報の無線送信は、搬送波の変調と、無線送信機を用いて変調信号（変調された信号）を送信することとによって実行される。受信機は、その信号を復調して、送られた情報を再生する。復調及び変調の手法は、用いられる多元接続方式に応じて定められる。
【０００３】
無線信号の送信及び受信をすることに関しては、それぞれ異なる多元接続方式が存在する。ＴＤＭＡ、すなわち、時分割多元接続（Time Division Multiple Access）では、同一周波数上の時間間隔の周期的な列におけるタイム・スロットでチャネルが構成される。ＦＤＭＡ、すなわち、周波数分割多元接続（Frequency Multiple Access）では、一つの通信チャネルが単一の無線周波数帯域である。隣接するチャネルとの干渉は、特定の周波数帯域の範囲内にある信号エネルギーだけを通過させる帯域通過フィルタの使用によって制限される。ＣＤＭＡ、すなわち、符号分割多元接続（Code Division Multiple Access）では、各信号が同じ周波数帯域を共有することができ、また、ＣＤＭＡ受信機が同時にいくつかの周波数帯域で動作することもできる。所望の信号と他の信号との間の選択、すなわち、識別は、所望の信号を変形（modify）するのに用いられた拡散符号に基づいた適切な信号処理によって実行される。同時に行われる各接続は、すべてがそれぞれ異なる符号を用いる。
【０００４】
ＣＤＭＡシステムにおいて、無線信号は、アンテナによって受信され、そして、他の周波数の信号が干渉しないようにフィルタリングされる。その結果がベース・バンド処理ユニットへと供給することのできる帯域制限されたベース・バンド信号に復調され、ベース・バンド処理ユニットでは、例えばスペクトラム拡散の手法等によって変調されていた、送信されたデジタル・データ・ストリームを再生する。スペクトラム拡散では、独立した符号信号を用いることによって情報信号の帯域幅を拡張することにより、無線信号が送信（伝送）される。帯域拡散は、それぞれの供給される情報のビットが符号シーケンスに置き換えられるようにして成し遂げられる。受信機が正当なものであり、かつ、同期した符号信号を有するものである場合には、対応する情報信号を逆拡散して復調することができる。あるＣＤＭＡ手法では、情報の一つのビットを表現するのに記号シーケンスを用いる。その記号シーケンスはＭビットを有し、それぞれのビットがチップと呼ばれる。すべてが揃っているＭチップのシーケンスのことを伝送シンボルという。逆拡散符号は、所望の局の信号を分離すると共に他の局の信号を雑音へと低減する。
【０００５】
基地局によって収容される他の送信側無線局からの干渉は、上述したＣＤＭＡ、ＴＤＭＡ及びＦＤＭＡのシステム等のようなすべての種類の無線受信機システム（radio receiver systems）において起こる。このような干渉が起こるのは、無線受信機システムのアンテナが無線信号を受信するものであり、その受信する無線信号がセルないしセルのセクタにおけるいくつかないしすべての送信側無線局からの信号を合成したものであるためである。
【０００６】
他の基地局からの移動局からの干渉さえも起こり得る。送信側移動局についての認識を要せずにかかる移動局からの干渉を除去（キャンセル）することができる方法がある。かかる干渉は、たとえ検波器がより後段においてそれらを無視しようとしても、アンテナにより受信されて復調される可能性がある。
【０００７】
ＣＤＭＡにおいて、それは、いくつかないしすべての送信側無線局からの各ベース・バンド信号の和であるベース・バンド信号をＣＤＭＡ受信機システムの復調器が生成することを意味する。その結果、ＣＤＭＡにおいて同じ周波数帯域を共有できる無線局の数は、同一チャネル干渉によって制限される。このため、互いに干渉し合う可能性がある異なる拡散符号を用いる同じ周波数帯域上の利用者が何人かいる。
【０００８】
例えば、セルラー通信システムにおいて、かかる干渉は、同じ基地局にアクセスできる移動局の数を制限する。通信品質は、移動局の数の増大に伴って低下する。したがって、受信した信号の復号化において受信機では他の干渉している信号の情報を考慮して、各無線受信機において同一チャネル干渉を除去するようにすることが好ましい。
【０００９】
干渉除去（ＩＣ：interference cancellation）の方法としては、それぞれ異なるものが多数ある。それらの中には、他の送信側無線局からの干渉をそれの伝送シンボルの推定値に基づいて計算し、そして推定される干渉を全体の受信した信号から差し引くものもある。また、干渉は、例えば反相関検波器の利用等により、拡散シーケンス及び時間遅延に基づいて計算することにしてもよい。すべての利用者の干渉信号は、いくつかの段（ステージ）を通じて各推定値を精製するパラレル形式により、あるいは、利用者の各信号をそれらの信頼性に基づいて順に整列させるシリアル形式により、あるいは、シリアル形式とパラレル形式の方法の混成組合せにより、推定することとしてもよい。パラレル形式及びシリアル形式の干渉除去方法についての説明は、"PERFORMANCE OF AN ADAPTIVE SUCCESSIVE SERIAL- PARALLELL CANCELLATION SCHEME IN FLAT RAYLEIGH FADING CHANNELS, Tik-Bin Oon, Raymond Steele and Ying Li, Department of Electronics and Computer Science, Univ. of Southampton, SOI17 1BJ, UK において見ることができる。
【００１０】
米国特許５，５７９，３０４の干渉除去方法においては、基地局の利用者信号のうちの一つが検波され、かつ、帯域制限された信号が復調されて元々の情報信号を再生するように、他の利用者の信号の情報が利用される。このように生成された信号は合成された信号から減算され、そして、その結果の信号が残りの利用者信号の情報を与える。続く利用者信号は同様のやり方で検波（検出）され、かつ、対応する減算分は先行する過程からの結果の信号によって作られる。各利用者信号の処理の後に新たな信号が同様のやり方で生成され、そして、全体のプロセスを数回繰り返すことができる。
【００１１】
上記方法において、それぞれの干渉除去段は、移動局についての推定されたシンボル値を生成し、より前段の推定値をより後段で精製する。シンボル値がこのように推定されないし再推定される度に、対応する情報がベース・バンド信号から取り除かれる。
【００１２】
同じ基地局において何人かの利用者がいる場合では、その方法は、非常に複雑になり、かつ、実施することが困難になる。それらの方法のそれぞれのために必要な計算の数（回数）は、極めて多く、かつ、収容する基地局の加入者の数が増加するにつれて増大する。他の加入者からの信号を受信することは、影響を与える可能性もあることであり、かつ、考慮されなければならないことである。
【００１３】
ＷＣＤＭＡ（Wide band CDMA（広帯域ＣＤＭＡ））システムにおいては、多数の移動体利用者が一つの基地局によって収容される。基地局は、それらのすべての利用者の信号を処理しかつ受信する必要があり、電力消費を処理していると共に遂行するのが非常に困難であるタスク（task）を要求される。システムへの干渉除去ユニットの導入は、現在ではより著しく多くの数の利用者信号を受信機で処理することが必要となるので、そのタスクをさらに煩雑化する。
【００１４】
（発明の要約）
本発明の目的は、多数の移動体利用者を伴う（有する）システムにおいて、干渉する信号の処理をより複雑でないものとすることである。
【００１５】
そこで、本発明によれば、利用者信号を少なくとも２つの処理動作において別個に処理することが提案される。
【００１６】
本発明のマルチユーザ干渉除去方法は、いくつかの送信側無線局を伴う（有する）システムにおける受信機の有効領域の範囲内で信号を受信する無線受信機において用いられる。他の送信側無線局からの干渉は、干渉している信号から干渉信号を除去された所望の信号が得られるように除去される。送信側無線局は、変調された無線信号を送信するために特定の多元接続方式を用いる。無線受信機は、システムにおける少なくとも２つの送信側無線局からの各信号の和として無線信号を受信する。その無線信号は、用いられている多元接続方式に基づいて（従って）処理され、その後、その無線信号からシステムにおける送信側無線局のうちの少なくともいくつかからの干渉が除去される。それから受信機へ送られた所望の変調信号が推定される。本発明の方法は、主に、送信側無線局のうちの少なくともいくつかからの干渉している信号が少なくとも２つの別個の処理動作において１つ又は２つ以上の段（ステージ）で処理され、それぞれの別個の処理動作の結果が所望の信号の推定において考慮される、ということを特徴とする。
【００１７】
好ましくは、干渉している信号の一部は、利用者信号のグループを構成し、別個の処理動作のうちの一つにおいて処理され、その一方で残りの干渉している信号は、利用者信号の他の一グループ又は他の複数グループを構成し、他の（一つ又は複数の）別個の処理動作において処理される。
【００１８】
除去が一つより多くのステップにおいて実行される場合、第１の除去段の除去結果が第２の干渉除去段において利用され、その方法が実現可能なさらなる除去段において関連して継続される。
【００１９】
本発明の装置及びマルチ−ユーザ干渉除去ユニットは、主に、マルチ−ユーザ干渉除去ユニットが少なくとも２つの物理ユニットで構成され、それらの物理ユニットを通じて干渉している信号が別個の処理動作において１つ又は２つ以上の段（ステージ）で処理される、ということを特徴とする。
【００２０】
干渉除去は、好ましくは、２つ又はそれより多くの物理ユニットを通じて実行され、一つが利用者信号のそれぞれのグループ用であり、１回又は２回以上のユニット間での情報伝送を伴うものとして、推定される干渉信号の全部ないし一部が全体の受信した信号から差し引かれるようにする。物理ユニットは、一つの受信機ボード（receiver board）若しくはその一部を備えるものとしてもよい。
【００２１】
ユニット間での情報伝送を実行するため、それらのユニットは、ユニット間で、送信側無線局からの信号の情報を転送するための手段を有する。
【００２２】
本発明の一実施形態では、それぞれの物理ユニットにおいて少なくとも一つの段（ステージ）で利用者信号の２つ又はそれより多くのグループについて別個に実行される干渉除去が実行されて、それぞれの別個の処理動作から推定される干渉信号を獲得し、その後、推定された干渉信号は、それぞれの別個の処理動作において除去される利用者信号の全体の和として全体の受信した信号から差し引かれる。
【００２３】
この実施形態は、推定された信号の値が次の除去段において利用されてそれらの値をより改善すると共に、他のユニットへ送られて次の除去段において考慮される清浄された信号によりユニット間での情報伝送が構成されるように、実施することができる。
【００２４】
本発明の採用し得る他の実施形態では、ユニット間での情報伝送が推定された干渉している信号の全体によって構成される。
【００２５】
本発明の別の実施形態では、ユニット間での伝送は、それぞれの物理ユニットからの出力信号の形態とし、複合データ・ストリームによって構成され、その複合データ・ストリームは、それぞれの利用者の受信されたデータの検波（検出）された値の形式でユニットに割り当てられた利用者に関する情報、関連するチャネルの推定値、時間遅延の推定値、拡散符号、及びこれらに類する情報を含み、かつ、他のユニットへ送られて、それらが、それらの割り当てられた利用者から関連する干渉を除去するために他のユニットにおける利用者用の推定される値又は同様（同類）の値を生成することができるようにする。
【００２６】
異なる干渉除去方法を用いることもできる。それらのうちのある方法では、システムにおける他の送信側無線局からの干渉をそれらの伝送シンボルの推定値に基づいて計算する。また、干渉は、例えば反相関検波器の利用等により、拡散符号及び時間遅延に基づいて計算することにしてもよい。別個の干渉除去の処理動作において用いる干渉除去方法は、シリアル形式の干渉除去方法、パラレル形式の干渉除去方法、あるいは、それらの混成方法とすることもでき、かつ、それらは、それぞれの異なるユニットにおいて、同じ方法によって実行することもでき、あるいは、異なる方法によって実行することもできる。
【００２７】
本発明において、干渉除去のために行うボード間通信の量は、ＩＣ性能に著しく影響を与えずに少量に保たれる。
【００２８】
本発明の干渉除去方法の実施のためにはハードウェアが用いられ、そのハードウェアは、２つ又はそれより多くの物理受信機ユニットを通じて機能が実行されることを可能にする。関連するハードウェアは、その方法を実施するために基地局において用いられる。
【００２９】
いくつかの送信側無線局を伴うシステムにおける受信機の有効領域（その範囲内で無線信号が受信されるところの有効範囲）は、主に基地局によって収容されるものであるが、受信機は、他の基地局によって収容される移動局からも信号を受信するものとしてもよい。
【００３０】
その方法は、ＦＤＭＡシステム、ＴＤＭＡシステム及びＣＤＭＡシステムにおいて用いることができ、そして、ＷＣＤＭＡを含むすべてのタイプのＣＤＭＡシステムにおいて特に有用である。本発明は、それぞれが１つ又は２つ以上の前記物理ユニットを含む受信機ボードのプールが、基地局に実在するものとすることができ、かつ、セルの範囲内でトラヒック負荷が変動することから特定のセクタに割り当てられるものとすることができる、という他の利点も有している。
【００３１】
次に、添付図面を用いることにより本発明について説明する。添付図面は、それぞれ異なる有効な本発明の実施形態の例を表現したものである。本発明の詳細事項は、特許請求の範囲の範囲内で変更することができるものであり、本発明は、本文（text）及び図面の詳細事項に限定されるものではない。
【００３２】
（図面の詳細な説明）
図１は、本発明の区分されたＩＣ方法をＣＤＭＡ受信機と関連させて概略的に例示したものである。セル（又はセルのセクタ）の範囲内のすべての利用者は、Ｎ個のグループに分割される。基地局における受信機は、アンテナ４を通じてＣＤＭＡ信号を受信する。受信機システムの復調器（図示略）は、ベース・バンド信号を生成する。このベース・バンド信号は、基地局によって収容される前記セル又はセルのセクタに属している各送信側移動局からの各ベース・バンド信号の和である。その合成された信号は、他の基地局に属している送信側無線局からの信号を含むものとしてもよい。それらのベース・バンド信号は、物理ユニットＰＵ１、ＰＵ２、ＰＵＮへ送られる（これは、矢印５、１Ａ、２Ａ、ＮＡで示してある。）。受信機は、別個の物理ユニットＰＵ１、ＰＵ２、…、ＰＵＮ上でそれぞれの利用者信号のグループに対するＩＣ機能を実行する。別個の物理ユニットＰＵ１、ＰＵ２、…、ＰＵＮは、別個の電子ボード又はその各部分であってもよい。
【００３３】
物理ユニットＰＵ１、ＰＵ２、ＰＵＮにおいてＩＣ機能の第１段が実行された後に、各物理ユニットが他のユニットへ情報を出力する（図１においては、ＰＵ１がＰＵ２及びＰＵＮへ情報を送り、ＰＵ２がＰＵ１及びＰＵＮへ情報を送り、そしてＰＵＮがＰＵ１及びＰＵ２へ情報を送る。）。この情報は、他のユニットのＩＣ除去の次の段において利用される。これは、図１において矢印１ａ、１ｂ及び１ｃ、２ａ、２ｂ及び２ｃ並びにＮａ、Ｎｂ及びＮｃによって示されている。出力信号１Ａ１、２Ａ１、ＮＡ１は、それぞれ、グループ１、２、Ｎの利用者について推定された信号を表しており、これらの推定された信号（出力信号１Ａ１、２Ａ１、ＮＡ１）は、次の除去段２において、推定される信号の値をさらに改善するのに利用される。
【００３４】
ブロック（blocks）ＰＵ１、ＰＵ２及びＰＵＮはＩＣユニットを表しており、これらのブロックＰＵ１、ＰＵ２、ＰＵＮにおいて、それぞれグループ１、２、Ｎ内の利用者信号の実際の干渉除去が行われる。各ユニットにおいては、異なる干渉除去の方法を用いることとしてもよい。例えば、シリアル形式の除去方法においては、ＣＤＭＡ信号が、受信されると共に、実際の周波数の帯域／複数帯域の信号をフィルタリング出力することによりベース・バンド信号に変換される。すべての物理ユニットにおける干渉除去で取り扱われる利用者信号は、それらの信頼性に基づいて順に整列させることができる。それらの信頼性（ないしそれに基づく整列）は、受信された信号の強度（strength）に基づくものとしてもよい。同じＣＤＭＡ通信システムに属している送信側移動局は、同じタイプのキャリア信号及びキャリア周波数を採用しているが、それぞれが異なる拡散符号を使用している。このため、受信側の基地局が受信する信号においては、それぞれ異なる拡散符号により拡散された、それぞれ異なる移動局の信号が、付加的に合成されていることになる。推定されるシンボルの値は、第１番目の利用者について得られて、第１番目の利用者のベース・バンド信号及び逆拡散符号を利用することによって除去される。干渉信号は、利用者特有の符号を利用することによって推定される。ベース・バンド信号は、それから第１番目の利用者の得られた干渉信号を減算することによって修正される。その結果は、第１番目の利用者信号からの干渉が除去されている修正されたベース・バンド信号となる。物理ユニット上で実行される最後の除去がなされるまでこの結果のベース・バンド信号が次の順位に整列された利用者信号の除去において用いられるなどして、そして最も弱い信号が得られて結果として清浄された信号を伴う先行するベース・バンド信号から減算される。対応する干渉除去は、それぞれの利用者信号のグループについて、各物理ユニット上で実行される。
【００３５】
干渉除去は、徹底的によい結果を得るために多数の段において行われるものとしてもよい。そのケースでは、それぞれの干渉除去段の後に、既定の物理ユニットで実行された除去が他のユニット上でのベース・バンド信号の推定において考慮されると共に逆の場合についても同様になるように、情報の転送が物理ユニット間で行われる。
【００３６】
図２は、本発明の一実施形態の概略図である。アンテナ４によって受信された信号は、ベース・バンド信号に変換されて物理ユニットＰＵ１、ＰＵＮへ送られる（矢印５）。そのベース・バンド信号に変換されて送られた信号は、物理ユニットＰＵ１、ＰＵＮにおいて、物理ユニットＰＵ１、ＰＵＮに割り当てられているそれらのすべての利用者の干渉から清浄され、そして、その清浄された信号は、他のユニットへと進められる。これは、矢印１ａ、Ｎｂで示してある。出力信号１Ａ１、ＮＢ１は、検波されたシンボルの値を表し、それらの値は、次の除去段２において、推定される値をさらに改善するために利用される。
【００３７】
除去は、それぞれのボード上で望まれる回数だけ実行することができる。
【００３８】
図３は、本発明の別の実施形態の詳細な例を示したものであり、３つのＩＣユニットＡ、Ｂ、Ｃを通じての実施について例示してある。ボード間の信号の流れは、下付文字を伴う小文字ａ、ｂ、ｃによって表してある。各下付文字は、各信号が生成された段（ステージ）を表している（第０段（ステージ０）は存在しない。すなわち、ａ０＝ｂ０＝ｃ０＝０である。しかし、入力ａ０、ｂ０及びｃ０は、図３中に示されるすべての様々な段について一貫した図示をする。
【００３９】
ＣＤＭＡ信号は、アンテナ４を通じて受信され、そして受信機局へ送られる（これは矢印５で示してある。）。バッファ・ブロックは、アンテナからリアルタイムのデータを受ける。検波及び信号処理は、ブロック状のバッチ・モードで実行される。バッファ・ブロックは、それらのブロック状の検波のそれぞれに対して必要なデータを記憶（蓄積）する。第１の物理ユニットＡにおいて実行される第１の除去段１において、利用者グループｂ及びｃの最初の干渉している信号ｂ０＋ｃ０が除去され、そしてより良いベース・バンド信号ａ１が干渉除去段２において利用できることになる。推定される全体の干渉している信号ａ１＋ｂ０＋ｃ０は、物理ユニットＡにおいて実行された干渉除去段１の結果として、第２の物理ユニットＢへと進められる。第１の除去段１は、物理ユニットＢ及びＣにおいて対応するやり方で実行される。最初の干渉している信号ａ０＋ｂ０はユニットＢにおいて除去され、かつ、最初の干渉している信号ｂ０＋ａ０はユニットＣにおいて除去される。除去段２においては、より良いベース・バンド信号ｂ１及びｃ１が利用できることになる。物理ユニットＡ及びＢの双方の干渉除去段１の結果としての、推定される全体の干渉している信号ａ１＋ｂ１＋ｃ０は、第３の物理ユニットＣへと進められる。３つのすべてのユニットＡ、Ｂ及びＣの干渉除去段１の結果としての、推定される全体の干渉している信号ａ１＋ｂ１＋ｃ１は、ユニットＡにおいて実行される除去段２へと進められる。除去段２においては、除去段１の除去ステップが新たな信号を用いることによって繰り返される（図中にはユニットＡ、Ｂ及びＣのみがあることに留意されたい。各番号は、そのユニットにおいて実行される除去の段を表示している。）。
【００４０】
図４は、本発明のさらに別の実施形態を示した図である。ここでは、ＩＣ物理ユニットからの出力信号は、そのユニットに割り当てられた利用者に関する情報を含む複合データ・ストリームとなっている。この情報は、それぞれの利用者の受信されたデータの検波された値、関連するチャネルの推定値、時間遅延の推定値、拡散符号及びこれらに類する情報で構成される。前述の情報は、他のユニットにおいて、それらの割り当てられている利用者からの関連する干渉を除去するために、それらが相互相関値又は同様（同類）の値を生成することができるように利用される。
【００４１】
図５は、本発明の無線受信機局のブロック図を表したものである。例えばＣＤＭＡ信号等の無線信号は、アンテナ４を通じて受信される。無線受信機局の復調器６は、ベース・バンド信号を生成する。このベース・バンド信号は、セル若しくはセルのセクタ又はいくつかのセルに属しているすべての送信側移動局からの各ベース・バンド信号の和である。利用者は、Ｎ個のグループに分割されている。前記ベース・バンド信号は、ベース・バンド・プロセッサ７へ送られる。ベース・バンド・プロセッサ７は、干渉除去のための手段を構成しており、本発明のマルチユーザ干渉除去ユニットを体現している。そのマルチユーザ干渉除去ユニット７は、本発明に基づく態様（やり方）での干渉の除去のための物理ユニットＰＵ１、ＰＵ２、…、ＰＵＮを有している。より詳細には、前記ベース・バンド信号は、物理ユニットＰＵ１、ＰＵ２、ＰＵＮに送られる。干渉除去は、それぞれのグループについて、別個の物理ユニットＰＵ１、ＰＵ２、…、ＰＵＮ上で実行される。これらの物理ユニットは、別個の電子ボード又はその各部分としてもよい。第１段のＩＣ機能が物理ユニットＰＵ１、ＰＵ２、ＰＵＮにおいて実行された後に、各物理ユニットが他のユニットへ情報を出力し、そして干渉除去が本発明に基づく態様によりいくつかの段において実行できることになる。この情報は、他のユニットのＩＣ除去の次の段において利用される（これは、図５において、干渉除去の番号２、３、…、Ｚにより示してある。）。ユニット間の線は、他の図との関係で説明したように、それらの間での情報伝送を示している。最後に推定された変調信号は復号器８へ送られ、復号器８は、それらを復号化してシステムの無線受信機に送られた情報を復元する。
【図面の簡単な説明】
【図１】  本発明の区分されたＩＣ方法の概略図である。
【図２】  本発明の一実施形態の概略図である。
【図３】  本発明の別の実施形態の詳細な例を示した図である。
【図４】  本発明のさらに別の実施形態の概略図である。
【図５】  本発明の無線受信機局のブロック図を表したものである。
【図１】
0003954310.tif 000002
【図２】
0003954310.tif 000003
【図３】
0003954310.tif 000004
【図４】
0003954310.tif 000005
【図５】
0003954310.tif 000006